(57)【要約】      （修正有）【課題】祭壇として使用できる、棺を収納するケースを提供する。【解決手段】棺２を収納するケース１であって、外表面が装飾されていることを特徴とする棺収納ケース。また、ケース１は、持ち運び可能な、底部が開放した箱体よりなる。また、ケース１は、一方の側部が開口した直方体状の箱体と、側部を開閉自在に塞ぐ蓋部とよりなり、箱体の内部の底部には、棺２を移動自在に支持するローラー部が設けられている。【選択図】図２
0003187556.tif 000002
【実用新案登録請求の範囲】
【請求項１】
棺を収納するケースであって、外表面が装飾されていることを特徴とする棺収納ケース。
【請求項２】
前記ケースは、持ち運び可能な、底部が開放した箱体よりなることを特徴とする請求項１記載の棺収納ケース。
【請求項３】
前記ケースは、一方の側部が開口した直方体状の箱体と、該側部を開閉自在に塞ぐ蓋部とよりなり、該箱体の内部の底部には、棺を移動自在に支持するローラー部が設けられていることを特徴とする請求項１記載の棺収納ケース。
【請求項４】
前記ケースを移動自在に載置する台を更に有することを特徴とする請求項３記載の棺収納ケース。
【請求項５】
前記箱体の天板部には、開口部と、該開口部を塞ぐ扉部が設けられていることを特徴とする請求項２乃至４のいずれか１に記載の棺収納ケース。
【考案の詳細な説明】
【技術分野】
【０００１】
本考案は棺収納ケース、特に、お通夜、告別式などの葬儀において、祭壇として利用される、又は、祭壇前に置かれたりしても違和感のない、遺体が収納された棺を収納するケースに関するものである。
【背景技術】
【０００２】
棺は、火葬場で焼かれることもあって、外表面に装飾のない簡素なものであるから、祭壇の前に置かれた場合には、厳かさや高級感に欠ける場合がある。
【０００３】
そこで、棺の外表面に模様を施したり、可燃性の装飾物を設けたりして、祭壇の前においても、違和感がないようにしたものがある（特許文献１）。
【０００４】
また、棺を祭壇内に安置するようにしたものもある（特許文献２）。
【先行技術文献】
【特許文献】
【０００５】
【特許文献１】特開２０１２−２１７５２８号公報
【特許文献１】実開昭６２−１５０９８３号公報
【考案の概要】
【考案が解決しようとする課題】
【０００６】
しかしながら、棺の外表面に模様を施したり、可燃性の装飾物を設けたりした棺は高価となり、棺ごとに装飾しなければならないという欠点があった。
【０００７】
また、祭壇内に安置したものは、最後のお別れを惜しむ人に遺体を見せることができないという欠点があった。
【０００８】
本考案は、これらの問題を解消すると共に、祭壇としても利用できて、荘厳さを失うことなく簡素な葬儀を実現できる棺収納ケースを提供することを目的とする。
【課題を解決するための手段】
【０００９】
本考案は前記の目的を達成すべく、棺を収納するケースであって、外表面が装飾されている。
【考案の効果】
【００１０】
本考案の棺収納ケースによれば、祭壇としても利用できて、荘厳さを失うことなく簡素な葬儀を実現できる棺収納ケースを提供できる。
【図面の簡単な説明】
【００１１】
【図１】本考案の第１実施例の棺収納ケースの斜視図である。
【図２】該棺収納ケースの横断面図である。
【図３】該棺収納ケースを棺に被せる状態を示す横断面図である。
【図４】本考案の第２実施例の棺収納ケースの斜視図である。
【図５】該棺収納ケースの横断面図である。
【図６】該棺収納ケースの内部の平面図である。
【図７】該棺収納ケースへ棺を入れている状態を示す斜視図である。
【図８】同状態を示す棺収納ケースの内部の平面図である。
【図９】該棺収納ケースで扉体を開放した状態を示す斜視図である。
【考案を実施するための形態】
【００１２】
以下、図面によって本考案の実施例を説明する。
【実施例１】
【００１３】
本考案の棺収納ケースの実施例１を図１乃至図３によって説明する。
【００１４】
１は、本考案の第１実施例の棺収納ケースを示し、該棺収納ケース１は、矩形状の天板部１ａと、該天板部１ａの全端辺に連設した側板部１ｂとからなる直方体状の箱体よりなり、底部１ｃが開口している。そして、前記底部１ｃは、棺２を挿入できる大きさに開口されると共に、前記棺収納ケース１の内部に、棺２を収納できる空間部３が形成されている。
【００１５】
また、前記棺収納ケース１の外表面は、祭壇として使用できるように、又は、祭壇の前に置いても違和感がないように、厳かさや高級感にあふれた形状、塗装や模様などの装飾が施されている。
【００１６】
また、前記棺収納ケース１は、前記棺２よりも若干大きい程度に形成され、少なくとも大人２人であれば持ち運べる大きさ、重さに形成されている。
【００１７】
また、４は、扉部を示し、該扉部４は、前記天板部１ａの一端部に形成した開口部５を塞いだり、開放したりできるように形成されている。
【００１８】
なお、前記扉部４はヒンジにより開閉自在にしてもよく、又は、開口部５から取り外し自在に設けてもよい。
【００１９】
また、前記開口部５から扉部４を取り外した後に、透明板（図示せず）で、前記開口部５を塞ぐようにして、中が見えるようにしてもよい。また、前記扉部４には、中が見えるように、窓部を設けていてもよい。
【００２０】
次に本実施例１の棺収納ケースの使用方法及びその効果について説明する。
【００２１】
例えば、前記棺収納ケース１を祭壇として使用する場合には、図３に示すように、棺２に、前記棺収納ケース１を上から被せる。これにより、祭壇と棺とを並置する必要がないので、省スペース化を図ることもできる。
【００２２】
また、祭壇の前に棺２を置くような場合にも、祭壇の前に置いた棺２上に、前記棺収納ケース１を上から被せる。これにより、祭壇の前に置いた場合でも、厳かさや高級感を保てる。
【００２３】
そして、お通夜や、告別式などの葬儀を行う。
【００２４】
また、棺２内の遺体の顔をみる場合には、前記扉部４を開放する。なお、前記棺２に前記棺収納ケース１を被せる前に、該棺１の窓部を、予め開放しておく。
【００２５】
葬儀が終わった場合には、前記棺収納ケース１を持ち上げて、前記棺２から取り外し、前記棺２のみを火葬場に運ぶ。これにより、該棺収納ケース１は、棺２と共に火葬する必要がないので、他の葬儀において使用でき、費用を安くすることができるようになる。
【実施例２】
【００２６】
本考案の実施例２の棺収納ケースを図４乃至図６によって説明する。
【００２７】
６は、本考案の第２実施例の棺収納ケースを示し、該棺収納ケース６は、矩形状の天板部６ａと、該天板部６ａの端辺のうち一方の短辺を除いた、２つの長辺及び他方の短辺に連設した側板部６ｂと、該各側板部６ｂの下端を閉塞した直方体状の箱体であり、その一方の側部には、開口部６ｄが形成され、該開口部６ｄには、開閉自在の蓋部７が設けられている。
【００２８】
そして、前記開口部６ｄは、棺２を挿入できる大きさに形成されると共に、前記収納ケース６の内部に、棺２を収納できる空間部８が形成されている。
【００２９】
また、前記収納ケース６外表面は、祭壇として使用できるように、又は、祭壇の前に置いても違和感がないように、厳かさや高級感にあふれた形状、塗装や模様などの装飾が施されている。
【００３０】
９は、扉部を示し、該扉部９は、例えば、３つの扉部９よりなり、該扉部９は、前記天板部６ａに形成した開口部１０を塞いだり、開放したりできるように形成されている。
【００３１】
なお、前記各扉部９はそれぞれヒンジにより開閉自在にしてもよく、又は、開口部１０から取り外し自在に設けてもよい。
【００３２】
また、前記開口部１０の一端側の扉部９を取り外した後に、透明板（図示せず）で、前記開口部１０を塞ぐようにし、中が見えるようにしてもよい。また、前記扉部９には、中が見えるように、窓部を設けていてもよい。
【００３３】
１１は、ローラー部であり、該ローラー部１１は、前記棺収納ケース６の内部の底部に長手方向に並列して複数設けられ、前記開口部６ｄから挿入された棺２を、前記棺収納ケース６の奥まで容易に移動自在に支持する。
【００３４】
１２は、前記棺収納ケース６を支持する台であり、該台１２は、複数の直方体状の箱体よりなり、該各台１２の底面には、移動手段としての、例えば、球状の回転体からなるキャスター１３が設けられ、移動自在に形成されている。
【００３５】
次に本実施例２の棺収納ケース６の使用方法及びその効果について説明する。
【００３６】
図７及び図８に示すように、前記台１２上に載置した前記棺収納ケース６から蓋部７を取り外して、開口部６ｄを開放し、該開口部６ｄから、該棺収納ケース６内に棺２を挿入し、前記ローラー体１１上に載置し、奥まで移動させる。そして、蓋部７を塞ぐ。
【００３７】
そして、例えば、前記棺収納ケース６を祭壇として使用する場合には、棺収納ケース６を載置した台１２を、所定の祭壇の設置場所まで移動させる。これにより、祭壇と棺とを並置する必要がないので、省スペース化を図ることができる。また、前記台１２により容易に棺収納ケース６を移動できるようになる。
【００３８】
また、前記棺収納ケース６を祭壇の前に置くような場合にも、棺収納ケース６を載置した台１２を、所定の祭壇の前まで移動させる。これにより、祭壇の前に置いた場合でも、厳かさや高級感を保てる。
【００３９】
なお、前記棺収納ケース６を所定の場所に移動してから、前記棺２を該棺収納ケース６内に挿入するようにしてもよい。
【００４０】
そして、お通夜や、告別式などの葬儀を行う。
【００４１】
また、棺２内の遺体を見られるようにする場合には、図９に示すように、前記扉部９を開放する。なお、１４は、前記扉部９を開放した位置に支持するための、支持棒である。
【００４２】
なお、前記棺２を前記棺収納ケースに挿入する前には、該棺の窓部を、予め開放しておく。また、前記扉部９を取り外した後、透明板で塞ぐようにしてもよい。
【００４３】
葬儀が終わった場合には、前記蓋部７を前記棺収納ケース６から取り外し、ローラー部を利用して、棺を取り外し、棺２のみを火葬場に運ぶ。これにより、該棺収納ケース６は、棺２と共に火葬する必要がないので、他の葬儀において使用でき、費用を安くすることができるようになる。
【産業上の利用可能性】
【００４４】
本考案の棺収納ケースは、お通夜や告別式などの葬儀において用いられる。
【符号の説明】
【００４５】
１      棺収納ケース
１ａ    天板部
１ｂ    側板部
１ｃ    底部
２      棺
３      空間部
４      扉部
５      開口部
６      棺収納ケース
６ａ    天板部
６ｂ    側板部
６ｃ    底板部
６ｄ    開口部
７      蓋部
８      空間部
９      扉部
１０    開口部
１１    ローラー部
１２    台
１３    キャスター
１４    支持棒
【図１】
0003187556.tif 000003
【図２】
0003187556.tif 000004
【図３】
0003187556.tif 000005
【図４】
0003187556.tif 000006
【図５】
0003187556.tif 000007
【図６】
0003187556.tif 000008
【図７】
0003187556.tif 000009
【図８】
0003187556.tif 000010
【図９】
0003187556.tif 000011